(57)【要約】【課題】  ＧＰＳと、ＧＰＳと異なる無線通信を搭載した撮像装置の、それぞれの無線通信を阻害することのない撮像装置を提供することを目的とする。【解決手段】  第一の無線通信手段と前記第一の無線通信手段と異なる種類の無線通信を行う第二の無線通信手段と、撮影画面の長手方向に対して傾斜する複数の反射面を有し、撮影レンズユニットからの被写体光束をファインダ接眼窓に導く光学部材と、撮像素子にて取得した電気信号を画像データに変換すると共に、前記第一の無線通信手段を制御する情報処理手段を備え、前記第一の無線通信手段は前記第二の無線通信手段よりも、前記情報処理手段への配線長が短くなるよう、前記光学部材の複数の反射面のうち前記情報処理手段に近い反射面に沿って配置されていることを特徴とする。【選択図】  図６
2013105012.tif 000002
【特許請求の範囲】
【請求項１】
第一の無線通信手段（５）と前記第一の無線通信手段（５）と異なる種類の無線通信を行う測位手段であるところの第二の無線通信手段（４）と、撮影画面の長手方向に対して傾斜する複数の反射面を有し、撮影レンズユニット（３１８）からの被写体光束をファインダ接眼窓（２１）に導く光学部材（３２０）と、撮像素子（３０４）にて取得した電気信号を画像データに変換すると共に、前記第一の無線通信手段（５）を制御する情報処理手段（３０２）を備え、前記第一の無線通信手段（５）は前記第二の無線通信手段（４）よりも、前記情報処理手段（３０２）への配線長が短くなるよう、前記第一の無線通信手段（５）は前記光学部材（３２０）の複数の反射面のうち前記情報処理手段（３０２）に近い反射面側に沿って配置されていることを特徴とする撮像装置（１）。
【請求項２】
第一の無線通信手段（５）と第一の無線通信手段と異なる種類の無線通信を行う第二の無線通信手段（４）と、影画面の長手方向に対して傾斜する複数の反射面を有し、撮影レンズユニット（３１８）からの被写体光束をファインダ接眼窓（２１）に導く光学部材（３２０）と、音声収集手段（３２１）を備え、前記第一の無線通信手段（５）は前記光学部材（３２０）の複数の反射面のうち、前記音声収集手段（３２１）から遠い反射面に沿って配置されていることを特徴とする撮像装置（１）。
【発明の詳細な説明】
【技術分野】
【０００１】
本発明は、無線通信が可能な撮像装置に関する。
【背景技術】
【０００２】
従来、衛星からの電波を受信して、受信電波をもとに緯度、経度、高度などの位置情報を測位する、所謂ＧＰＳを用い、そこから得られた情報を画像に付加する撮像装置がある。その中で、ペンタプリズムのダハ面に沿った傾斜面にＧＰＳとの通信手段を配置することで、受信効率を向上させつつ、撮像装置本体やユーザーの手等によってＧＰＳからの電波が遮られることなく、正確に位置情報を算出するための電波が受信できるようにするものが提案されている（特許文献１参照）。
【先行技術文献】
【特許文献】
【０００３】
【特許文献１】特開２００３−３１５８９０号公報
【発明の概要】
【発明が解決しようとする課題】
【０００４】
特許文献1に開示された撮像装置は、ＧＰＳ通信にのみ注目したものであり、ＧＰＳ通信とそれ以外の無線通信手段が搭載された場合の通信の最適化については言及がない。
【０００５】
そこで本発明は、ＧＰＳ通信と、ＧＰＳ通信とは異なる無線通信手段の複数の無線通信手段を搭載した撮像装置において、それぞれの無線通信を阻害することのない撮像装置を提供することを目的とする。
【課題を解決するための手段】
【０００６】
第一の無線通信手段５と前記第一の無線通信手段５と異なる種類の無線通信を行う第二の無線通信手段４と、撮影画面の長手方向に対して傾斜する複数の反射面を有し、撮影レンズユニット３１８からの被写体光束をファインダ接眼窓２１に導く光学部材３２０と、撮像素子３０４にて取得した電気信号を画像データに変換すると共に、前記第一の無線通信手段５を制御する情報処理手段３０２を備え、前記第一の無線通信手段５は前記第二の無線通信手段４よりも、前記情報処理手段３０２への配線長が短くなるよう、前記第一のの無線通信手段は前記光学部材３２０の複数の反射面のうち前記情報処理手段３０２に近い反射面に沿って配置されていることを特徴とする撮像装置。
【発明の効果】
【０００７】
本発明によれば、無線ＬＡＮ、ＧＰＳの2つの無線通信のアンテナを搭載しながらも、それぞれの通信を阻害することのない撮像装置を提供することが可能となる。
【図面の簡単な説明】
【０００８】
【図１】本発明の実施形態である撮像装置の前面斜視図である。
【図２】本発明の実施形態である撮像装置の背面斜視図である。
【図３】本発明の第１実施形態の撮像装置の構成を示すブロック図である。
【図４（Ａ）】ＧＰＳモジュールの上面斜視図である。
【図４（Ｂ）】ＧＰＳモジュールの底面斜視図である。
【図５】無線通信モジュールの上面斜視図である。
【図６】実施例１のＧＰＳモジュールおよび無線通信モジュールの配置と接続状態を示す図である。
【図７】実施例２のＧＰＳモジュールおよび無線通信モジュールの配置と接続状態を示す図である。
【発明を実施するための形態】
【０００９】
以下に、本発明の好ましい実施の形態を、添付の図面に基づいて詳細に説明する。
【００１０】
図１は、本発明の実施形態に係る撮像装置を前面側より見た外観を示す斜視図である。具体的には、図１は、撮影レンズユニット３１８（後述の図３参照）を外した状態を示している。図２は、本発明の実施形態１に係る撮像装置を背面側より見た外観を示す斜視図である。
【００１１】
図１において、撮像装置１には、撮像時に撮影者が撮像装置１を安定して握り易いように前方に突出したグリップ部１１が設けられている。グリップ部１１の上部には、撮像開始のスイッチとしてレリーズボタン１２が配置されている。
【００１２】
マウント部１３は、着脱可能な撮影レンズユニット３１８を撮像装置１に固定させる。
【００１３】
ミラーボックス１４は、撮像装置１の筐体内に配置され、撮影レンズユニット３１８を通過した撮像光束はここへ導かれる。ミラーボックス１４の内部には、クイックリターンミラー１５が配設されている。
【００１４】
集音用開口部１６は、マイク３２０（後述の図３参照）が撮像装置１の音声録音時に撮像装置１の周囲の音声を集音可能となるように、撮像装置１の外装に設けられた開口部である。
【００１５】
図２において、撮像装置１の背面には上方にファインダ接眼窓２１が設けられ、更に背面中央付近には画像表示部２２が設けられている。画像表示部２２の横にはメインスイッチ２３が設けられており、ユーザーが操作することにより、電源３０９（後述の図３参照)からカメラ各部への電力供給の開始および終了を指示することができる。また、画像表示部２２の横には操作ボタン２４が配置されており、ユーザーが操作ボタン２４を操作することにより、撮像装置１の各種設定の変更を行うことができ、画像表示部２２にはその設定状況が表示される。
【００１６】
図３は、本発明の実施形態に係る撮像装置１の主要な構成を示すブロック図である。なお、前述の図面と共通する部分は同じ記号で示している。
【００１７】
システム制御基板３０１には、ＣＰＵ（中央演算処理装置）３０２が装着されている。ＣＰＵ３０２は、撮像装置１全体の動作制御を行うものであり、各要素に対して様々な処理や指示を実行する。
【００１８】
システム制御基板３０１には、レリーズスイッチ１１、画像表示部２２、メインスイッチ２３、操作ボタン２４、メモリ３０３、撮像素子３０４、ミラー制御部３０５、シャッタ制御部３０６、撮影レンズ制御部３０７、測距部３０８、測光部３０９、電源３１０、外部メモリスロット３１１が接続されている。また、システム制御基板３０１には、コネクタ３１２，コネクタ３１３が装着されており、コネクタ３１２には、ＧＰＳフレキシブルプリント基板(以後ＦＰＣ)３１４を介してＧＰＳモジュール４、コネクタ３１３には、無線通信ＦＰＣ３１５を介して無線通信モジュール５が接続されている。
【００１９】
メモリ３０３は、撮像装置１の撮像動作に関する情報が記録されている。
【００２０】
電源３１０は、ＣＰＵ３０２やカメラ内の回路各部に電力の供給を行い、ユーザーがメインスイッチ２３を操作することによって、各部への電力供給の開始・終了される。
【００２１】
撮影レンズユニット３１６は、被写体像光を撮像素子３０４の撮像面等に結像させる光学系であり、この光学系の焦点位置を調節するためのフォーカスレンズを含む複数のレンズ群を備えている。ここで光軸３１７は、光学系の中心を示す。
【００２２】
クイックリターンミラー１５は、メインミラー１５ａとサブミラー１５ｂによって構成され、メインミラー１５ａはその一部がハーフミラーとなっており、光の一部を透過させ、測距部３０８に導く。また、クイックリターンミラー１５は、撮像時にレリーズスイッチ１２が押下されると、その端部に設けられた不図示の軸を中心として回動し、反射面が光軸３１７に対して略平行となる位置に退避する。
【００２３】
測距部３０８は、サブミラー１５ｂによって屈曲された光を２つに分けて視差のある２つの像を生成し、公知の位相差測距を行い、測距情報をＣＰＵ３０２に出力する。
【００２４】
レリーズスイッチ１２は二段階押しが可能なスイッチとなっており、第１ストローク（半押し）でスイッチＳ１がオンし、第２ストローク（全押し）にてスイッチＳ２がオンする。
【００２５】
撮像素子３０４は、メインミラー１５ａが退避したときに、光軸３１７に沿った光が届く位置に設けられ、撮影レンズユニット３１８が結像した像を電気信号に変換する撮像デバイスであるＣＭＯＳが用いられる。この撮像デバイスには、ＣＣＤ型、ＣＭＯＳ型およびＣＩＤ（電荷注入素子）型など様々な形態があり、何れの形態の撮像デバイスを採用してもよい。
【００２６】
クイックリターンミラー１４と撮像素子３０４との間には、露光時間を制御するシャッタ３１９が設けられている。
【００２７】
ペンタプリズム３２０は、メインミラー１５ａによって反射された撮像光束を正立正像に変換反射する光学部材である。使用者は、ファインダ接眼窓２１から被写体像を観察することができる。またペンタプリズム３２０は、撮像光束の一部を測光部３０９にも導く。
【００２８】
測光部３０９は、得られた撮像光束の一部を、観察面上の各エリアの輝度信号に変換し、ＣＰＵ３０２に出力する。ＣＰＵ３０２は、こうして得られる輝度信号から露出値を算出する。
【００２９】
レリーズスイッチ１１が半押しされてＳ１がオンになると、ＣＰＵ３０２は測距部３０８および測光部３０９を駆動して、測距および測光動作を行い、得られた測距情報と測光情報はＣＰＵ３０２に出力される。ＣＰＵ３０２は得られた測距情報と測光情報を、撮像レンズ制御部３０７に送り、撮像レンズ制御部３０７は得られた測距情報と測光情報に基づいて、撮像レンズユニット３１８内の不図示の合焦レンズと可動絞りの駆動を行う。
【００３０】
また、レリーズボタン１１が全押しされてＳ２がオンになるとミラー制御部３０、シャッタ制御部３０６および撮像素子３０４を駆動して撮像動作を行う。
【００３１】
撮影動作が開始されると固体撮像素子３０４は入射された光を光電子変換により、電気信号に変換した後、ＣＰＵ３０２に出力する。ＣＰＵ３０２に出力された電気信号はＪＰＥＧなどの画像変換処理を経て、外部メモリスロット３１１に挿入された外部メモリ３２２に画像データとして記録される。なお、本実施例内での画像データは、公知のＥｘｉｆ（Ｅｘｃｈａｎｇｅａｂｌｅ  Ｉｍａｇｅ  Ｆｉｌｅ  Ｆｏｒｍａｔ）のファイルフォーマットに準拠しており、画像情報に、露出時間や絞り値などの撮影情報や後述の測位情報などが結合されたデータである。
【００３２】
マイク３２１は、音声録音時に撮像装置１の周囲の音声を集音し音声信号に変換する音声記録用マイクである。マイク３２１は、撮像装置１の周囲の音声を集音しやすくなるよう集音用開口部１６の近傍に配置することが望ましい。
【００３３】
ＧＰＳモジュール４は、ＧＰＳ（Ｇｌｏｂａｌ Ｐｏｓｉｔｉｏｎｉｎｇ Ｓｙｓｔｅｍ）を利用して、地球の周りを回る複数のＧＰＳ衛星からの電波を受信して撮像装置１が存在する場所の緯度、経度、高度などの測位情報を取得する。また、取得した測位情報は、撮像した画像データに付与できる。
【００３４】
無線通信モジュール５は、ＩＥＥＥ８０２．１１ｂ、ＩＥＥＥ８０２．１１ｇ等の無線ＬＡＮ通信により外部機器へ画像データを送信する。
【００３５】
次に、撮像時に、ＧＰＳモジュール４にて取得した測位情報を、外部メモリスロット３１１に挿入された外部メモリ３２２に記録された画像データに付与する際の撮像装置１の動作について説明する。
【００３６】
図４の（Ａ）は、ＧＰＳモジュール４の上面斜視図、図４の（Ｂ）は底面斜視図である。ＧＰＳモジュール４は基板４１、アンテナ４２、ＩＣ４３、コネクタ４４、板金４５、ねじ４６により構成されている。また、コネクタ４４には、ＧＰＳＦＰＣ３１４が接続されており、システム制御基板３０１のコネクタ３１２に接続されている。
【００３７】
アンテナ４２は基板４１に装着されており、このＧＰＳアンテナ４２は撮像装置１が存在する位置を検出するために、不図示の衛星からの電波を受信する。アンテナ４２は例えば特開平５−１８３３２７号公報に記載されたマイクロパッチストリップアンテナを用いることができる。このマイクロパッチストリップアンテナは平板状に形成され、平面の法線方向に最大受信感度を有するが、この指向性は比較的鈍く、天空の任意の方向に存在するＧＰＳ衛星からの電波を確実に受信するのに適している。
【００３８】
板金４５は、衛星からの電波の内、地面や撮像装置１の内部で反射した不要な電波をアンテナ４２が受信しないようにして通信を安定させるためのシールドの役割をしており、ねじ４６によって基板４１に固定されている。
【００３９】
撮像動作により、外部メモリ３２２に画像データが保存されると、ＣＰＵ３０２はＩＣ４３に、衛星の電波を受信し、受信信号の情報を用いて撮像装置１の測位情報（緯度、経度、高度）を算出する指示を送る。ＩＣ４３はアンテナ４２を介して衛星電波を受信し、受信した電波を復調信号に変換後ＣＰＵ３０２へ送る。ＣＰＵ３０２は、復調信号に基づいて所定の演算を行うことによって測位情報を求める。ＣＰＵ３０２は演算した測位情報を外部メモリ３２２に記録された画像データに結合する。
【００４０】
次に、外部メモリスロット３１１に挿入された外部メモリ３２２に記録されている場合に、撮像装置１から不図示の外部機器へ画像データを無線通信モジュールを介して、送信する動作について説明する。
【００４１】
図５は無線通信モジュール５の上面斜視図である。無線通信モジュール５は、基板５１、ＩＣ５２、パターンアンテナ５３、板金５４、コネクタ５５、ねじ５６により構成されている。また、コネクタ５５には、無線通信ＦＰＣ３１５が接続されており、システム制御基板３０１のコネクタ３１３に接続されている。
【００４２】
板金５４は、無線通信モジュール５の通信を安定させるために、接地を強固にする導体である。板金５４は、ねじ５６によって基板５１に固定されている。
【００４３】
ユーザーが、操作ボタン２４を操作して、外部メモリスロット３１１に挿入された外部メモリ３２２に記録されている画像データを、外部機器に画像データを送信する指示を開始すると、ＣＰＵ３０２は画像データをＩＣ５２に送信する。続いて、ＩＣ５２は、画像データを所望の無線方式に変調した後、送信周波数に変換する。その後、パターンアンテナ５３より、画像データを外部機器へ無線送信する。
【００４４】
図６は本実施形態の、ＧＰＳモジュール４および無線通信モジュール５の配置とシステム制御基板３０１への接続状態を示す図である。
【００４５】
ＧＰＳモジュール４および無線通信モジュール５は、ペンタプリズム３２０のダハ面に沿った位置に配置されている。ＧＰＳモジュール４および無線通信モジュール５などの無線通信をする装置に、人の手など誘電率の高いものが近づくと、その近傍の電界が変化し、通信に影響が出てしまう。そのため、撮像装置１の操作時にユーザーの手による、通信への影響が出ないように、ＧＰＳモジュール４および無線通信モジュール５は、撮像時にユーザーの手が近づきにくい、ペンタプリズム３２０のダハ面に沿って配置している。
【００４６】
ＧＰＳモジュール４の板金４５および無線通信モジュール５の板金５４はそれぞれのモジュールの通信を安定させる目的で配置されているが、板金４５、板金５４はともに金属であるために、周囲の電界へ影響を及ぼす。
【００４７】
そのため、ＧＰＳモジュール４と無線通信モジュール５を接近させて配置すると、板金４５は無線通信モジュール５の通信に、板金５４はＧＰＳモジュール４の通信に影響を与える。つまり、ＧＰＳモジュール４と無線通信モジュール５を、ペンタプリズムの一つのダハ面に集中して配置すると、各モジュールが有する板金により、通信に支障をきたしてしまう。
【００４８】
したがって、ＧＰＳモジュール４と無線通信モジュール５は距離を置いて配置する必要があり、ペンタプリズムの別々のダハ面に配置をすることで、通信への影響を小さくことができる。
【００４９】
システム制御基板３０１は撮像装置１の長手方向にわたって配置されている。システム制御基板３０１にはＣＰＵ３０２と外部メモリスロット３１１が装着されている。外部メモリスロット３１１は、ユーザーが撮像装置１を保持した状態で、外部メモリの着脱が容易になるように、撮像装置１の右側面あるいは左側面に外部メモリ３２２の挿入口が向くように配置する必要がある。そのため、外部メモリスロット３１１は、システム制御基板３０１の右端もしくは左端に配置している。
【００５０】
ＣＰＵ３０２はシステム制御基板３０１の外部メモリスロット３１１が配置されている側に配置している。これは、ＣＰＵ３０２と外部メモリスロット３１１の間で画像データの転送をする際に、ＣＰＵ３０２と外部メモリスロット３１１間の配線を長くなると、配線がアンテナとして振る舞い、強いノイズ源となってしまう。
【００５１】
撮像装置１内部で強いノイズが発生すると、撮像装置１の動作や、ＧＰＳモジュール４および無線通信モジュール５の通信に影響を及ぼしてしまうので、ノイズの発生を抑える構造にする必要がある。
【００５２】
そこで、配線が長くなってノイズ源とならないように、ＣＰＵ３０２はシステム制御基板３０１の外部メモリスロット３１１が配置されている側に配置している。
【００５３】
無線通信モジュール５は、ペンタプリズム３２０の２つのダハ面のうちＣＰＵ３０２に近い側に配置している。
【００５４】
ＧＰＳモジュール４が緯度、経度、高度の測位情報のみを扱うのに対して、無線通信モジュール５では、画像データにＧＰＳモジュール４で取得した測位情報を加えた情報を扱う。そのため、ＧＰＳモジュール４からＣＰＵ３０２に転送される情報量よりも、ＣＰＵ３０２から無線通信モジュール５へ転送される情報量の方が大きい。
【００５５】
より大きな情報量を扱うため、無線通信モジュール５を接続する無線通信ＦＰＣ３１５は、ＧＰＳモジュール４を接続するＧＰＳＦＰＣ３１４よりも、高い通信速度が求められる。
【００５６】
ＦＰＣに信号電流が流れると、ＦＰＣがアンテナとなってノイズを発生する。また、ノイズの強度は通信速度が高いほど強いので、無線通信ＦＰＣ３１５は、ＧＰＳＦＰＣ３１４よりも強いノイズ源となる。
【００５７】
また、システム制御基板３０１と無線通信モジュール５を接続する無線通信ＦＰＣ３１５が長くなると、ＣＰＵ３０２から無線通信モジュール５に画像データを転送する際に、無線通信ＦＰＣ３１５がアンテナとして振る舞い、ノイズ源としての振る舞いがさらに強くなる。
【００５８】
ＣＰＵ３０２から無線通信ＦＰＣ３１５への画像データ転送の際に発生するノイズを抑制するためには、無線通信ＦＰＣ３１５を短くして、ノイズ源としての振る舞いを押さえる必要がある。そのため、無線通信モジュール５は、ペンタプリズム３２０の２つのダハ面のうちＣＰＵ３０２に近い側に配置して、無線通信ＦＰＣ３１５が長くなることを抑制して、ノイズの発生を抑えている。
【００５９】
このように、無線通信モジュール５をペンタプリズム３２０の２つのダハ面のうち、ＣＰＵ３０２に近い側に配置することによって、ユーザーの手によって通信が遮られることなく、かつ、画像データの転送に係る配線がノイズ源とならず、撮像装置１の動作やＧＰＳモジュール４、無線通信モジュール５の通信を阻害することがなくなる。
【００６０】
図７は本実施形態の、ＧＰＳモジュール４および無線通信モジュール５の配置とシステム制御基板３０１への接続状態を示す図である。
【００６１】
実施例１同様、撮像装置１の操作時にユーザーの手が近づくことによって、通信に影響が出ないように、ＧＰＳモジュール４および無線通信モジュール５は、ペンタプリズム３２０のダハ面に沿った位置に配置されている。
【００６２】
また、ＧＰＳモジュール４および無線通信モジュール５は、相互に通信の障害とならないように、ペンタプリズム３２０の別々のダハ面に配置をしている。
【００６３】
集音開口部１６およびマイク３２１は、グリップ１１から離れた位置に配置されている。これは、マイク３２１にて音声を記録する際に、ユーザーの手が集音用開口部１６をふさいでしまうと、マイク３２１の音声収集が困難になるのを防ぐためである。そのため、集音用開口部１６とマイク３２１は、グリップ１１から離れた位置に配置している。
【００６４】
実施例１同様に、ＧＰＳモジュール４が測位情報のみを扱うのに対して、無線通信モジュール５では、画像データにＧＰＳモジュール４で取得した測位情報を加えた情報を扱うので、無線通信ＦＰＣ３１５の方が強いノイズ源となりうる。
【００６５】
一方で、マイク３２１は撮像装置１の周囲の音声を、電気信号に変換することで音声記録が可能となる。また、撮像装置１の内部で発生するノイズはマイクが音声から変換した電気信号に影響を及ぼす。そのため、強いノイズ源がマイクの近傍にあると、マイク３２１が収集した音声が正しく記録されなくなる。
【００６６】
したがって、強いノイズ源である無線通信ＦＰＣ３１５がマイク３２１の近傍に配置されていると、マイク３２１の音声取集に支障をきたしてしまう。
【００６７】
そのため、強いノイズ源である無線通信ＦＰＣ３１５が、マイク３２１の近傍を通らないように、無線通信モジュール５はペンタプリズムのダハ面のうち、マイク３２１から遠い側に配置する。
【符号の説明】
【００６８】
１：撮像装置
４：ＧＰＳモジュール
５：無線通信モジュール
１１：グリップ
１６：集音用開口部
３０１：システム制御基板
３０２：ＣＰＵ
３１１：外部メモリスロット
３１４：ＧＰＳＦＰＣ
３１５：無線通信ＦＰＣ
３２０：ペンタプリズム
３２１：マイク
３２２：外部メモリ
【図１】
2013105012.tif 000003
【図２】
2013105012.tif 000004
【図３】
2013105012.tif 000005
【図４（Ａ）】
2013105012.tif 000006
【図４（Ｂ）】
2013105012.tif 000007
【図５】
2013105012.tif 000008
【図６】
2013105012.tif 000009
【図７】
2013105012.tif 000010